Podtech/llm-jp-corpus-v4-ja_patent huggingface dataset:
(57)【要約】      （修正有）【課題】磁気を利用し、自動車のボデー等、各人の好みの箇所に簡単に装着できるプレートを提供する。【解決手段】磁気を組み込んだゴム性のプレート（基盤）にイニシャルフイルム、又、図柄フイルム（フイルムの裏側には、粘着剤が塗布されてあり、セパレーターで覆われていて、使用時にセパレーターをはがし使用する。）を張り合わせて、イニシャルプレート、及び、図柄プレートを作る。【選択図】図２
0003106651.tif 000002
【実用新案登録請求の範囲】
【請求項１】
磁気を組み込んだゴム性のプレート（基盤）に、アルファベットの頭文字をプリントしたフイルムを張り合わせた、イニシャルプレート。
【請求項２】
磁気を組み込んだゴム性のプレート（基盤）に、図柄（花、動物、マスコット等）をプリントしたフイルムを張り合わせた、図柄プレート。
【考案の詳細な説明】
【考案の詳細な説明】
【０００１】  ［考案の解決しようとする課題］
本実用新案は、磁気を組み込んだゴム性のプレート（基盤）のセンターラインの左側と右側に、アルファベットの頭文字をプリントしたフイルム（フィルムの裏面に、粘着剤を塗布し、セパレーターで覆い、使用時にセパレーターをはがして使用する。）を張り合わせることで、簡単にイニシャルプレートを作る事ができる。
又、磁気を組み込んだコム性のプレート（基盤）に、図柄をプリントしたフィルムを張り合わせることで、図柄プレートを作ることができる。
尚、イニシャルプレートも、図柄プレートも、プレート（基盤）に組み込まれた磁気の磁力により、自動車のボデー等の鉄製品に、簡単に装着することも、取り外すこともできる。
【０００２】  ［考案の効果］
本案のイニシャルプレート及び、図柄プレートは、各個人が所有する自家用車等に装着し、各人の所有物である事の表示として、又、アクセサリーとして利用することが出来る。
【図面の簡単な説明】［図１］  磁気を組み込んだプレート（基盤）の表面図と断面図である〉
［図２］  イニシャルプレートの表面図と断面図である。
［図３］  イニシャルをプリントした、フィルムの表面図と断面図である。
［図４］  図柄プレートの表面図と断面図である。
［図５］  図柄をプリントした、フィルムの表面図と断面図である。
【符号の説明】
１  磁気を組み込んだプレート（基盤）
２  プレートのセンターライン
３  プレートの左側に位置するイニシャルフイルム
４  プレートの右側に位置するイニシャルフイルム
５  図柄のフイルム
【図１】
0003106651.tif 000003
【図２】
0003106651.tif 000004
【図３】
0003106651.tif 000005
【図４】
0003106651.tif 000006
【図５】
0003106651.tif 000007
【手続補正書】
【提出日】平成16年8月5日(2004.8.5)
【手続補正１】
【補正対象書類名】実用新案登録請求の範囲
【補正対象項目名】全文
【補正方法】変更
【補正の内容】
【実用新案登録請求の範囲】
【請求項１】
ゴム製のプレ−トには磁石が組み込まれ、該プレートの表面には半部ずつフィルムが貼り合わされ、両フィルムにはイニシャルを示すアルファベットがプリントされていることを特徴とするイニシャルプレ−ト。
【請求項２】
ゴム製のプレ−トには磁石が組み込まれ、該プレートの表面にはフィルムが貼り合わされ、該フィルムには図柄がプリントされていることを特徴とする図柄プレ−ト。
【手続補正２】
【補正対象書類名】明細書
【補正対象項目名】全文
【補正方法】変更
【補正の内容】
【考案の詳細な説明】
【技術分野】
【０００１】  本考案はイニシャルプレート及び図柄プレートに関する。
【考案の開示】
【考案が解決しようとする課題】
【０００２】  本考案は簡単に作れるようにしたイニシャルプレート及び図柄プレートを提供することを課題とする。
【課題を解決するための手段】
【０００３】  本考案に係るイニシャルプレートは、ゴム製のプレ−トには磁石が組み込まれ、該プレートの表面には半部ずつフィルムが貼り合わされ、両フィルムにはイニシャルを示すアルファベットがプリントされていることを特徴とする。【０００４】  本考案の考え方はイニシャルに代え、図柄をプリントした場合にも適用できる。【０００５】  即ち、本考案に係る図柄プレートは、ゴム製のプレ−トには磁石が組み込まれ、該プレートの表面にはフィルムが貼り合わされ、該フィルムには図柄がプリントされていることを特徴とする。
【考案の効果】
【０００６】  本案のイニシャルプレ−ト及び、図柄プレ−トは、各個人が所有する自家用車等に装着し、各人の所有物であることの表示として、又、アクセサリ−として利用することが出来る。
【考案を実施するための最良の形態】
【０００７】  以下、本考案を図面に示す具体例に基づいて詳細に説明する。図１ないし図３は本考案に係るイニシャルプレートの好ましい実施形態を示す。図において、ゴム製のプレ−ト１には磁石が組み込まれており、このプレート１はセンターライン２で左側と右側とに分けられ、右側の表面及び左側の表面にはフィルム３、４が貼り合わされ、両フィルム３、４にはイニシャルを示すアルファベットがプリントされている。【０００８】  本例のイニシャルプレートでは、磁気を組み込んだゴム性のプレ−ト１のセンタ−ライン２の左側と右側に、アルファベットの頭文字をプリントしたフィルムを貼り合わせることで、簡単にイニシャルプレ−トを作ることができる。フィルム３、４の裏面には、粘着剤が塗布され、セパレ−タ−で覆い、使用時にセパレ−タ−をはがして使用することができる。【０００９】  このイニシャルプレ−トは、プレ−ト１に組み込まれた磁気の磁力により、自動車のボデ−等の鉄製品に、簡単に装着することも、取り外すこともできる。【００１０】  図４及び図５は第２の実施形態を示し、これは図柄プレートに適用した例である。図において図１ないし図３と同一符号は同一又は相当部分を示す。本例ではゴム製のプレ−ト１には磁石が組み込まれ、該プレート１の表面にはフィルム５が貼り合わされ、該フィルム５には花、動物、マスコット等の図柄がプリントされている。【００１１】  本例の図柄プレートでは磁気を組み込んだゴム性のプレ−ト１に、図柄をプリントしたフィルム５を貼り合わせることで、図柄プレ−トを作ることができる。【００１２】  この図柄プレ−トは、プレ−ト１に組み込まれた磁気の磁力により、自動車のボデ−等の鉄製品に、簡単に装着することも、取り外す事もできる。
【図面の簡単な説明】
【００１３】
【図１】  本考案に係るイニシャルプレートの好ましい実施形態におけるプレ−トの表面及び断面を示す図である。
【図２】  上記実施形態のイニシャルプレ−トの表面及び断面を示す図である。
【図３】  上記実施形態におけるフィルムの表面及び断面を示す図である。
【図４】  第２の実施形態による図柄プレ−トの表面及び断面を示す図である。
【図５】  上記実施形態におけるフィルムの表面及び断面を示す図である。
【符号の説明】
【００１４】    １      プレ−ト
３、４  イニシャルフィルム
５      図柄フィルム
(57)【要約】【課題】  夜間において大規模地震発生直後の住民避難に伴う移動、並びに避難所等駆けつける職員の安全確保は十分に考慮されていないことから、地震発生直後の避難所等に最小限の電源を確保し、安全に入所するとともに、迅速な災害対応が可能な電源環境を提供する。【解決手段】低コストな地震センサー、停電検出器等を用いて緊急事態を検知し、ＵＰＳ、発電機から最小限の照明、電気錠等の電源を供給することにより、駆付け職員ならびに避難住民の安全を確保する。【選択図】  図１
0003106657.tif 000002
【実用新案登録請求の範囲】
【請求項１】
地震発生時等の停電に対応するため、制御本体部に昼夜識別ユニット、停電検出回路、地震センサー、発電機、無停電電源装置（以下ＵＰＳ）等を組み合わせ、電源を確保する精度の高い非常照明制御システムである。
【請求項２】
この非常照明制御システムは、▲１▼夜間検出センサー、▲２▼停電検出回路、▲３▼地震センサー、の動作（▲１▼▲２▼、または▲１▼▲２▼▲３▼のアンド条件）により作動し、ＵＰＳの交流出力を玄関、通路等の初期照明電路へ自動的に接続する。
停電が継続した場合、手動で携帯発電機を起動し、制御本体部内に設けられた切り替えスイッチを操作することにより、商用電源から発電機電源への切替えがワンタッチで行われ、発電機出力を事務室等のメイン照明電路に接続される。
停電が回復した場合、同様に本切り替えスイッチの操作により発電機から商用電源にワンタッチで切り替わる。
【考案の詳細な説明】
【技術分野】
【０００１】  本考案は地震に伴う停電発生時の避難所等における照明等を救済する低コストで精度の高い電源制御システムである。
【背景技術】
【０００２】  夜間に大規模地震が発生した場合、多数の住民が公共施設等に避難するが、避難所等の内部が停電のために玄関電気錠の開錠不能、手元照明不備による開錠の遅れ、段差や階段での転倒事故等が予想されるため、照明用等の電源を確保する必要がある。また、停電により公共施設内の防災システムが停止し、住民への情報提供が遅延することが想定される。
【考案の開示】
【考案が解決しようとする課題】
【０００３】  停電は日常的に発生し、重要機器にはＵＰＳ、蓄電池、発電機等で対応している設備は多く存在している。しかし、大規模地震等の発生直後に住民避難のための移動、並びに避難所等駆けつける職員の照明確保は十分に考慮されていないことから、地震発生直後の最小限の電源を確保し、安全に入所するとともに、迅速な災害対応が可能な電源環境を提供する。
【課題を解決するための手段】
【０００４】  低コストな地震センサー、停電検出器等を用いて緊急事態を検知し、ＵＰＳ、発電機から最小限の照明、電気錠等の電源を供給することにより、駆付け職員ならびに避難住民の安全を確保する。
【考案の効果】
【０００５】▲１▼  本考案は、一般的に使用されている携帯発電機、ＵＰＳを組み合わせ、従来の据え置き型非常用発電機に比べ大幅な導入コストの削減が可能な信頼性の高い非常用電源システムである。また、夜間、停電、地震（省略可能）のアンド条件をトリガーとした初めての考案であり、単なる停電、地震のみでは作動しない極めて経済的かつ合理的なシステムである。更に、トラブルが発生しやすい燃料配管が不要で入手、据付が容易な携帯発電機を使用している。停電が発生しても屋内での照度が確保できる場合は発電機を起動させないことにより、省エネルギーをも考慮した。
【考案を実施するための最良の形態】
【０００６】    事前に停電時に供給すべき対象負荷設備を発電機の容量見合いで選定し、停電直後に必要となる負荷（ＵＰＳより供給（以下Ａ電源という））と、数１０分後に必要となる負荷（発電機より供給（以下Ｃ電源という））を系統分離し、段階的に電源を供給する。
【実施例】
【０００７】    地震センサー、停電検出継電器は受電盤に設置し、発電機、ＵＰＳは受電室の床面等に耐震対策を行い設置する。電源供給系統図は【０００９】〔図１〕による。
【産業上の利用可能性】
【０００８】
【図面の簡単な説明】
【０００９】
【図１】本考案の配線系統図を示す。
【図２】本考案のコントローラ構成を示す。
【符号の説明】
【００１０】１  受電盤
２  停電検出継電器（ＮＶ）
３  地震センサー（ＥＱ）
４  昼夜識別センサー（ＤＮ）
５  コントローラ
６  入力切替スイッチ（ＳＷ）
７  無停電電源装置（ＵＰＳ）
８  蓄電池（ＢＡＴＴ）
９  発電機（Ｇ）
【図１】
0003106657.tif 000003
【図２】
0003106657.tif 000004
【手続補正書】
【提出日】平成16年8月23日(2004.8.23)
【手続補正１】
【補正対象書類名】実用新案登録請求の範囲
【補正対象項目名】全文
【補正方法】変更
【補正の内容】
【実用新案登録請求の範囲】
【請求項１】
地震発生時等の停電に対応するため、コントローラに少なくとも、昼夜識別ユニット、停電検出回路、地震センサー、発電機、無停電電源装置（以下ＵＰＳ）を組み合わせたことを特徴とする非常照明制御システムである。
【請求項２】
請求事項１における非常照明制御システムは、▲１▼昼夜識別センサー、▲２▼停電検出回路及び▲３▼地震センサーのすべての動作によりＵＰＳの交流出力を玄関、通路等の初期照明電路へ自動的に接続し、停電が継続した場合、発電機を起動し、コントローラ本体部内に設けられた入力切替スイッチを操作することにより、商用電源から発電機電源への切替えがワンタッチで行われ、発電機出力を事務室等のメイン照明電路に接続し、停電が回復した場合、前記、入力切替スイッチの操作により発電機から商用電源に切り替わることを特徴とした非常照明制御システムである。
(57)【要約】      （修正有）【課題】粘着式ブラジャーを、見せても恥ずかしくない装飾性のあるものにする。【解決手段】ブラジャーの外側部分にデザインした布を縫い付けるか貼り付ける。あるいは、デザインをプリントする。【選択図】図１
0003106656.tif 000002
【実用新案登録請求の範囲】
【請求項１】
粘着式ブラジャーの外側部分にデザインした布などを貼るか縫い付けたり、デザインをプリントし装飾を施す。
【考案の詳細な説明】
【技術分野】
【０００１】本発明は、女性乳房周辺の脂肪をバストカップ内に集めながら、乳房の形状を美しく整え、胸部のみでの装着を可能にした粘着式ブラジャーの外側装飾に関するものである。
【背景技術】
【０００２】既存している粘着性ブラジャーは、見せるために作られたものではない為、外側の見える部分になんの色彩的な装飾性もなく、なんのデザインもプリントも施されてはいない。ただ唯一あるものの色彩的な装飾は単に一色の色をつけただけのものである。その為、着用した姿を見せられるものではない不細工さである。
【本発明が解決しようとする課題】
【０００３】本発明品は、上記問題点を解決すべく、見られてもよい色彩的デザインや装飾を粘着式のブラジャーに施すものである。
【問題を解決する手段】
【０００４】請求項１記載の発明は、本発明品は、上記問題点を解決すべく、外側部分に布などを貼り付けたり、縫い付けたり、プリントしたりしてデザイン装飾を施し、見せることの出来る粘着性のブラジャーにすることである。
【実施の形態】
【０００５】以下、本発明の実施の形態の一例を用いて説明する。バストカップの素材に弾性を有するシリコンなどを使い、おわん型に立体成型する。この時その外側に弾力性のある発砲シリコンなどの軽い素材を布などの外側の素材の間にはさみ、胸の大きさを補正するほうがよい。バストカップの大きさや補正用の素材の厚さ大きさは体の寸法によって異なる。また、それにより一番外側の装飾素材やプリントの大きさも異なる。
【発明の効果】
【０００６】外側の装飾、プリントなどにより見た目が美しくなり、単独での着用も可能となる。
【産業上の利用可能性】
【０００７】以上のことにより、水着としての着用、見せるブラジャーとしての活用が可能となった。
【図面の簡単な説明】
【０００８】
【図１】外側装飾面を示した平面図である。
【符号の説明】
【０００９】１  外側装飾面
２  縫い代
【図１】
0003106656.tif 000003
【手続補正書】
【提出日】平成16年8月5日(2004.8.5)
【手続補正１】
【補正対象書類名】実用新案登録請求の範囲
【補正対象項目名】全文
【補正方法】変更
【補正の内容】
【実用新案登録請求の範囲】
【請求項１】
粘着式ブラジャーの外側部分にデザインした布などを貼るか縫い付けたり、デザインをプリントし装飾を施す粘着式ブラジャー。
(57)【要約】      （修正有）【課題】できるだけ動物の自然な姿態を生かして落ち着ける形態とし、しかも安価となるペット用遺品入れを提供する。【解決手段】四肢で立脚した姿態の置物様の四肢動物ペット用遺品入れ１０であって、本体内に納骨用空洞１２を有し、腹部に空洞の蓋１３を有する。遺品を動物形状の本体内空洞に入れるため、外観上は動物の自然な姿態・形態がそのまま生かされる。また、ペットの死体と一緒に火葬することを目的としないため、比較的自由に材料を選ぶことができる。例えば、高級品であっても御影石や大理石、火口石等の石材、普及品では石膏やプラスチックを用いることができるため、安価に製造することができる。【選択図】図２
0003106673.tif 000002
【実用新案登録請求の範囲】
【請求項１】
動物の形をした置物様のペット用遺品入れであって、本体内に遺品収納用空洞を有することを特徴とするペット用遺品入れ。
【請求項２】
四肢で立脚した姿態の置物様の四肢動物ペット用遺品入れであって、本体内に遺品収納用空洞を有し、腹部に該空洞の蓋を有することを特徴とするペット用遺品入れ。
【考案の詳細な説明】
【技術分野】
【０００１】
本考案は、置物様のペット用遺品・遺骨入れに関する。
【背景技術】
【０００２】
近年、ペットを家族の一員と考える人々が増えてきている。このような人々にとっては、ペットの死亡は感情的には家族の死亡に近いものであるため、人間の場合と同様に葬儀や供養等を行うというケースが増えている。これに応え、ペット専門の供養を行う寺院やペット専門の墓地等も現れてきている。
【０００３】
しかし、人間の場合と異なり、ペットの埋葬には法的な規制はなく、必ずしも人間と同様に専用の墓地に埋葬しなければならないというものではない。公衆の衛生に反せず、また、他人の私有財産を侵さない限り比較的自由に行うことができる。
【０００４】
そこで、ペットが死亡した後もその遺品を身近に置いておきたいという考え方から、台座上に動物像を載せ、その台座内にペットの遺骨を収納する「火葬副葬品」が特許文献１において提案されている。
【特許文献１】実用新案登録第3057240号
【考案の開示】
【考案が解決しようとする課題】
【０００５】
特許文献１に記載のものは、火葬副葬品であり、ペットの死体と一緒に火葬するものである。この場合、どうしても材料は高温に耐えるセラミックや金属等にせざるを得ず、高価であるとともに、外観は無機質的なものとなる。また、特許文献１に記載のものは、犬の形をした本体の下に台座を設け、その中に遺骨等の遺品を収納するものである。そのため、全体の形状がやはり不自然なものとなる。
【０００６】
本考案が解決しようとする課題は、できるだけ動物の自然な姿態を生かして落ち着ける形態とし、しかも安価となるペット用遺品入れを提供することである。
【課題を解決するための手段】
【０００７】
上記課題を解決するために成された本考案に係るペット用遺品入れは、動物の形をした置物様のペット用遺品入れであって、本体内に遺品収納用空洞を有することを特徴とするものである。
【０００８】
また、具体的には例えば、四肢で立脚した姿態の置物様の四肢動物ペット用遺品入れであって、本体内に遺品収納用空洞を有し、腹部に該空洞の蓋を有することを特徴とするものである。
【０００９】
なお、遺品として最も典型的なものは遺骨であるが、その他に、体毛、写真、首輪の一部、生前好んでいた玩具等、飼い主がそのペットを偲ぶものであれば何でもよい。
【考案の効果】
【００１０】
本考案に係るペット用遺品入れでは、遺品を動物形状の本体内空洞に収納するため、外観上は動物の自然な姿態・形態がそのまま生かされる。また、ペットの死体と一緒に火葬することを目的としないため、比較的自由に材料を選ぶことができる。例えば、高級品であっても御影石や大理石、火口石等の石材、普及品では石膏やプラスチックを用いることができるため、安価に製造することができる。
【考案を実施するための最良の形態】
【００１１】
本考案の一実施例であるペット用遺品入れの、斜め上方から見た外観を図１に、下方から見た外観を図２に示す。図１に示すように、外観上は通常の動物の形態そのものである。特注品として、死亡したペットの形態をそのまま模写した外観のものを製造するようにしてもよいが、多くの場合には同種の動物の形態を表したものでよい。例えば、ペットの犬種がダックスフントであったとすれば、遺品入れも一般的なダックスフントの形態をしたものとすればよい。
【００１２】
図２に示すように、本考案に係る遺品入れ１０の腹部には穴１１が開いており、その中に空洞１２が設けられている。また、穴１１に適合する蓋１３が設けられている。なお、蓋１３は遺品入れ１０本体と同一の材料でもよいし、別の材料（例えば、ステンレス）としてもよい。
【００１３】
空洞１２内に遺骨や遺品を入れ、蓋をして、この遺品入れ１０を部屋やベランダ、庭等に置いておくことにより、飼い主は亡くなったペットに対する供養を尽くすことができるとともに、その思い出を末永く偲ぶことができる。なお、空洞に遺骨を入れておく場合には、人間の場合と同様、綿で作成した骨袋に入れ、祈願文と共に本体内に安置することが望ましい。また、蓋１３が空洞１２を気密に密閉するように、蓋１３と穴１１とは強力接着剤により接着しておくことが望ましい。
【００１４】
なお、参考のために、図１及び図２に示したペット用遺品入れの寸法を例示すると、全高が約18cm、全長(頭から尻尾の先まで)が約30cm、全幅が約12cm、穴１１の径が約4cm、空洞１２の深さが約6cm、重さが約13kgである。
【図面の簡単な説明】
【００１５】
【図１】本考案の一実施例であるペット用遺品入れの、斜め上方から見た外観図。
【図２】実施例のペット用遺品入れの下方から見た外観図。
【符号の説明】
【００１６】
１０…ペット用遺品入れ
１１…穴
１２…空洞
１３…蓋
【図１】
0003106673.tif 000003
【図２】
0003106673.tif 000004
(57)【要約】【課題】  折りたたみ傘の使用後、濡れたままの折りたたみ傘を鞄に入れるわけにもいかず、乾くまで手に持ったままの状況になり、仕事中や、買い物中など片手がふさがり不便になってしまうという問題を解決する。【解決手段】  本考案は、プラスティックなどの水を弾き、防水機能を持つ素材でできた筒状の固体である本体部分は、片側の底になる部分は、閉じられておりもう一方は、折りたたみ傘の収納口となるキャップ（頭）部分で、本体とねじ状になった部分で接合でき、その接合部には、水漏れ防止用のゴム等のパッキング材が挟み込まれている。  また、本体内部には、濡れた折りたたみ傘を本体ケースにスムーズに出し入れする為の、プラスティックなどの水を弾き防水機能を持つ素材でできた全体が網状になった固体を、布等の吸水性のある素材でできた、脱着できかつ、密着した袋で包み込んだ吸水部分が内蔵されていて、雨で濡れた折りたたみ傘をこのケースに収納して、そのままケースを鞄などに入れても、鞄の中が濡れることが無く、問題の解決ができる。【選択図】  図１
0003106671.tif 000002
【実用新案登録請求の範囲】
【請求項１】
筒状の本体部分は、プラスティック等の水を弾き、防水機能を持つ素材でできた固体で、片側の底になる部分は、閉じられておりもう一方は、折りたたみ傘の収納口となるキャップ（頭）部分で、本体とねじ状になった部分で接合でき、その接合部には、水漏れ防止用のゴム等のパッキング材が、挟み込まれていて、雨で濡れた折りたたみ傘をこの本体ケースに収納して、キャップを締めそのまま鞄等に入れても、鞄の中が濡れない折りたたみ傘ケース。
【請求項２】
濡れた折りたたみ傘を、本体ケースにスムーズに出し入れする為のプラスティック等の水を弾き、防水機能を持つ素材からできた、全体が網状の片側の空いた筒と、その筒を布などの吸水性のある素材でできた、脱着できかつ、密着した袋で包み込んだ吸水部分を、内部にさらに有する請求項１記載の、雨で濡れた折りたたみ傘を、この本体ケースに収納して、キャップを締め、そのまま鞄などに入れても、鞄の中が濡れない折りたたみ傘ケース。
【考案の詳細な説明】
【考案の開示】
【考案が解決しようとする課題】
【０００１】  折りたたみ傘の使用後、濡れたままの折りたたみ傘を鞄に入れるわけにもいかず、乾くまで手に持ったままの状況になり、片手がふさがり仕事中や買物中など様々なシーンで不便になってしまうという問題があった。
【課題を解決するための手段】
【０００２】  プラスティックなどの水を弾き、防水機能を持つ素材でできた筒状の固体である本体部分は、片側の底になる部分は、閉じられておりもう一方は、折りたたみ傘の収納口となるキャップ（頭）部分で、本体とねじ状になった部分で接合でき、その接合部には、水漏れ防止用のゴム等のパッキング材が挟み込まれている。
また、本体内部には、濡れた折りたたみ傘を本体ケースにスムーズに出し入れする為の、プラスティックなどの水を弾き防水機能を持つ素材でできた全体が網状になった固体を、布等の吸水性のある素材でできた脱着できかつ、密着した袋で包み込んだ吸水部分が内蔵されていて、雨で濡れた折りたたみ傘をこのケースに収納して、そのままケースを鞄などに入れても、鞄の中が濡れることが無く、問題の解決ができる。
【考案の効果】
【０００３】  従来品は、傘の布地と同じ素材でできた傘カバーが大半で、雨で濡れた傘にカバーをかけて鞄に入れてしまうと、中が濡れてしまうが、本考案の折りたたみ傘ケースは、そのまま鞄に入れても中が濡れないので、不便さを解決する事ができる。
【図面の簡単な説明】
【０００４】
【図１】  傘収納時図
【図２】  断面図
【符号の説明】
【０００５】１    本体外側
２    キャップ（頭）部分
３    パッキング材
４    内臓部分
５    キャップ（頭）部分
６    本体外側
７    吸水素材（布等）内臓部分
８    網状の傘ガイド（プラスティック等）内臓部分
９    折りたたみ傘本体
【図１】
0003106671.tif 000003
【図２】
0003106671.tif 000004
(57)【要約】【課題】お米研ぎは、お米と水を何度も手で攪拌するので作業が煩雑で、水を取り換えるときは、お米を流さないように慎重な作業になる。これらの一連の作業を簡単にできるように改善したい。また、冬場の冷水作業は手が冷たく荒れるので、水に手を触れないでお米を研ぎたい。【解決手段】お米と水を容器中で攪拌する時、どのような形状の容器が最も効率的にお米が回転するかを検討し、試作の結果、底の丸い形状を採用した。攪拌用のクランクシャフトは、縦型と横型を試作検討し作業性の点から縦型とした。また、水の取替えは容器の横に網を設け、研ぎ終わった水は横網から自動的に排水する方式とした。お米を研ぐ作業が終った後、容器を傾け残りの水を横網から排水し、お米を炊飯器に移す。【選択図】図２
0003106641.tif 000002
【実用新案登録請求の範囲】
【請求項１】
お米を洗う容器は底が丸い形状とし、お米研ぎ作業のとき、お米と水がより良く攪拌回転し、お米が研ぎ易い方式とする。
【請求項１】
Ｕ字形クランクシャフトの採用により容器内のお米と水が効率的に攪拌し、研ぎ水は容器の横網から自動的に排水する。
【考案の詳細な説明】
【考案の詳細説明】
【考案が解決しようとする課題】
【０００１】お米研ぎは容器に水を入れ、何度も手作業で撹拌しながら水を取替えるので煩雑である。また、冬場の冷水によるお米研ぎは手が荒れる。
【課題を解決するための手段】
【０００２】底の丸い容器に水道水を注ぎながらクランクシャフトを回転し、容器の横網から自動的に排水し、水に手を触れないでお米を研ぐ。
【考案の効果】
【０００３】簡単なハンドル操作により素早いお米洗いが可能。また、冷水によるお米洗いの改善で手荒れが防止できる、特に冬場には効果的である。
【図面の簡単な説明】
【図１】底の丸い容器と蓋の外観を示した図面である。
【図２】Ｕ字形クランクシャフトの形状を示した図面である。
【符号の説明】
１  底の丸い容器外観
２  Ｕ字形クランクシャフト
３  研ぎ水の排水網
４  容器の蓋
５  水道水入り口
【図１】
0003106641.tif 000003
【図２】
0003106641.tif 000004
【手続補正書】
【提出日】平成16年6月18日(2004.6.18)
【手続補正２】
【補正対象書類名】実用新案登録請求の範囲
【補正対象項目名】全文
【補正方法】変更
【補正の内容】
【実用新案登録請求の範囲】
【請求項１】
Ｕ字形の多段数のシャフトを回転することにより水の乱流を発生させ、お米の表面が満遍なく洗浄できるクランクシャフト攪拌式のお米洗い器。
【請求項２】
上蓋の給水口から水道水を注ぎ、お米の研ぎ汁は容器の側面に設けた網状の排水口から押し流す、研ぎ汁の順次排水交換方式。
【手続補正書】
【提出日】平成16年8月26日(2004.8.26)
【手続補正１】
【補正対象書類名】実用新案登録請求の範囲
【補正対象項目名】全文
【補正方法】変更
【補正の内容】
【実用新案登録請求の範囲】
【請求項１】
Ｕ字形の多段数のシャフトを回転することにより水の乱流を発生させ、お米の表面が満遍なく洗浄できるクランクシャフト攪拌式のお米洗い器。
【請求項２】
お米の研ぎ汁を排水するための網状の排水口を側面に設けた容器を備えることを特徴とする請求項１記載のお米洗い器。
(57)【要約】【課題】水溶性切削研削油剤は従来金属製もしくは、樹脂製の２０リットル容器か１８リットル容器に充填されており、使用後の廃缶の処理が使用者の負担になっていた。また、水溶性切削油剤は水に希釈して使用するため、原液の計量及び希釈水の計量が必要であり、正確な希釈倍率の使用液を作るのに手間がかかった。【解決手段】水溶性切削油剤を樹脂製袋に充填することにより、使用後の容器の処理を簡単にした。また、充填する水溶性切削研削油剤の量を一定の希釈液に対する量とすることにより希釈時の計量の手間を削減した。【選択図】図１
0003106642.tif 000002
【実用新案登録請求の範囲】
【請求項１】
従来の金属製容器やポリ容器のような処理に困る容器ではなく、濃縮水溶性切削研削油剤を充填した小型樹脂製袋
【請求項２】
切削研削液を濃縮することにより容器を可能な限り小さくした、水溶性切削研削油剤を充填した小型樹脂製袋。
【請求項３】
１袋あたりの充填量を、小袋によって決められた希釈液の量を固定化することにより、使用者が計量する手間を省いた濃縮水溶性切削研削油剤を充填した小型樹脂製袋
【考案の詳細な説明】
【考案の詳細な説明】
【技術分野】
【０００１】本考案は水溶性切削研削油剤の使用後の廃容器の処理を簡便にするためと、希釈作業を簡便にするための、容器の種類に関するものである。
【背景技術】
【０００２】従来の技術は水溶性切削研削油剤を金属缶（図２）もしくは樹脂缶（図３）に充填し、充填量は容器の規格サイズにより既定されていた。
【考案の開示】
【考案が解決しようとする議題】
【０００３】水溶性切削研削油剤の充填容器の変更。充填する水溶性切削研削油剤の量と濃度の変更。
【課題を解決するための手段】
【０００４】水溶性切削研削油剤の充填容器を従来の金属缶もしくは樹脂缶から、樹脂製袋に変更する。袋に充填する切削研削油剤量は、前もって決められた希釈液量に相当する原液の量とする。容器を小さくするため油剤は濃縮型とする。
【考案の効果】
【０００５】廃缶は無くなり可燃ごみが出るのみとなる。使用者は１袋を決められた規定量の水に薄めるため、原液の計量が不要となる。容器が小さくなるため収納、運搬が容易となる。
【考案を実施するための最良の形態】
【０００６】充填する水溶性切削研削油剤量は、前もって決められた希釈液の水の量に相当する量とし、水溶性切削研削油剤の量を５００ミリリットル以下に抑え、袋は図１の形状で手ひらに収まるサイズとする。従来品は３０倍前後の水で希釈して使用するが、本考案の製品では１００倍程度の水で希釈できるように濃縮型の水溶性切削研削液原液を充填した。形態は、切れ目が入った袋とし、袋を切ればすぐに水溶性切削研削液の希釈液が出来る小型樹脂製袋とした。
【図面の簡単な説明】
【０００７】
【図１】（Ａ）本考案に使用する底が平らで立たせられる樹脂製袋の立面図である。（Ｂ）本考案に使用する底が平らで立たせられる樹脂製袋の封を切り使用する時の倒立面図。（Ｃ）本考案に使用する平らな底のない樹脂製袋の立面図である。（Ｄ）本考案に使用する平らな底のない樹脂製袋の封を切り使用する時の倒立面図。
【図２】（Ａ）従来用いられた丸型金属缶の立面図である。（Ｂ）従来用いられた角型金属缶の立面図である。
【図３】（Ａ）従来用いられた丸型樹脂容器の立面図である。（Ｂ）従来用いられた角型樹脂容器の立面図である。
【符号の説明】
【０００８】１：切り目    ２：樹脂製小袋
３：濃縮水溶性切削液原液
【図１】
0003106642.tif 000003
【図２】
0003106642.tif 000004
【図３】
0003106642.tif 000005
【手続補正書】
【提出日】平成16年6月18日(2004.6.18)
【手続補正１】
【補正対象書類名】実用新案登録請求の範囲
【補正対象項目名】全文
【補正方法】変更
【補正の内容】
【実用新案登録請求の範囲】
【請求項１】
取り扱いが容易なように、開封する為の切り目を有し、底が平らで立たせることが出来る濃縮水溶性切削研削油剤を充填した小型樹脂製袋
【請求項２】
切削研削液を濃縮することにより、容器を少なくとも片手で握れる大きさまで小さくした、水溶性切削研削油剤を充填した請求項１記載の小型樹脂製袋
【請求項３】
１袋に１回使用分の濃縮水溶性切削研削油剤を充填しておき、使用者が計量する手間を省いた濃縮水溶性切削研削油剤を充填した請求項１または２記載の小型樹脂製袋
【手続補正２】
【補正対象書類名】明細書
【補正対象項目名】図１
【補正方法】変更
【補正の内容】
【図１】（Ａ）本考案に使用する底が平らで立たせられる樹脂製袋の立面図である。
（Ｂ）本考案に使用する底が平らで立たせられる樹脂製袋の封を切り使用する時の倒立図面。
（Ｃ）平らな底のない樹脂製袋（参考例）の立面図である。
（Ｄ）平らな底のない樹脂製袋（参考例）の封を切り使用する時の倒立面図。
【手続補正書】
【提出日】平成16年9月17日(2004.9.17)
【手続補正１】
【補正対象書類名】手続補正書
【補正対象項目名】手続補正２
【補正方法】変更
【補正の内容】
【手続補正２】
【補正対象書類名】明細書
【補正対象項目名】０００７
【補正方法】変更
【補正の内容】
【０００７】
【図１】（Ａ）本考案に使用する底が平らで立たせられる樹脂製袋の立面図である。（Ｂ）本考案に使用する底が平らで立たせられる樹脂製袋の封を切り使用する時の倒立図面。（Ｃ）平らな底のない樹脂製袋（参考例）の立面図である。（Ｄ）平らな底のない樹脂製袋（参考例）の封を切り使用する時の倒立面図。
【図２】（Ａ）従来用いられた丸型金属缶の立面図である。（Ｂ）従来用いられた角型金属缶の立面図である。
【図３】（Ａ）従来用いられた丸型樹脂容器の立面図である。（Ｂ）従来用いられた角型樹脂容器の立面図である。
(57)【要約】【課題】アクセサリーは、着用される衣服、装着する器具、使用する場所、使用する時間等の状況に合わせ最適に選択され使用されている。このため、想定される前記状況に応じて、一般に多くのアクセサリーをあらかじめ用意しおく必要がある。【解決手段】宝石等および宝石等を保持し、且つ宝石等を取り替え可能とする開閉機構を有する宝飾品を主として構成するアクセサリーとし、複数種類のアクセサリーを容易に且つ安価に提供するアクセサリーとした。【選択図】  図１
0003106646.tif 000002
【実用新案登録請求の範囲】
【請求項１】
宝石等および宝石等を保持し、且つ宝石等を取り替え可能とする開閉機構を有する宝飾品を主として構成するアクセサリー。
【考案の詳細な説明】
【考案の詳細な説明】
【技術分野】
【０００１】本考案は、宝石等および宝石等を保持し、且つ宝石等を取り替え可能とする開閉機構を有する宝飾品を主として構成するアクセサリーにより、複数種類のアクセサリーを容易に且つ安価に提供した新規のアクセサリーに関するものである。
【背景技術】
【０００２】従来、アクセサリーは、その構成要素がアクセサリー一つ一つに固定的であり、特別な治具等を使用しない限り、容易にその構成要素を交換できない構造となっている。
【考案が解決しようとする課題】
【０００３】従って、アクセサリーは、着用される衣服、装着する器具、使用する場所、使用する時間等の状況に合わせ最適に選択され使用されている。このため、想定される前記状況に応じて、一般に多くのアクセサリーをあらかじめ用意しおく必要がある。
【課題を解決するための手段】
【０００４】上記の課題を解決するために、本考案では、宝石等および宝石等を保持し、且つ宝石等を取り替え可能とする開閉機構を有する宝飾品を主として構成するアクセサリーとし、複数種類のアクセサリーを容易に且つ安価に提供するアクセサリーとした。
【考案を実施するための最良の形態】
【０００５】本考案になる取り替え可能なアクセサリーについて、図面に示す具体的な実施例にもとづいて説明する。
図１は宝石等および宝石等を保持し、且つ宝石等を取り替え可能とする開閉機構を有する宝飾品を主として構成するアクセサリーである。【０００６】図１に示すアクセサリーは、開閉および閉止状態を保持する機構および宝石等を保持する金属等で構成される宝飾品（１）、その宝飾品に保持される宝石等（２）および開閉機構を有する宝飾品を身体あるいは器具に装着するための宝飾品（３）により構成される。
【考案の結果】
【０００７】本考案は、上記のように構成され、開閉機構を使用し、内部の宝石等を取り替えることにより、アクセサリーの有する装飾性を、必要とする状況に合わせ短時間で変化させることが可能となり、状況に合わせて多くのアクセサリーをあらかじめ保有することを不要とする等、優れた効果を発揮する。
【図面の簡単な説明】
【図１】図１は、開閉および閉止状態を保持する機構および宝石等を保持する金属等で構成される宝飾品、その宝飾品に保持される宝石等および開閉機構を有する宝飾品を身体あるいは器具に装着するための宝飾品により構成されるアクセサリーを示した正面図である。
【図２】開閉および閉止状態を保持する機構および宝石等を保持する金属等で構成される宝飾品の開状態の斜視図である。
【符号の説明】
１  開閉および閉止状態を保持する機構および宝石等を保持する金属等で構成される宝飾品
２  宝飾品に保持される宝石等
３  開閉機構を有する宝飾品を身体あるいは器具に装着するための宝飾品
【図１】
0003106646.tif 000003
【図２】
0003106646.tif 000004
【手続補正書】
【提出日】平成16年6月21日(2004.6.21)
【手続補正１】
【補正対象書類名】実用新案登録請求の範囲
【補正対象項目名】全文
【補正方法】変更
【補正の内容】
【実用新案登録請求の範囲】
【請求項１】
宝石等を内部に格納可能な容器（金属など形状が固定されるすべての物）において、該容器の一部にちょうつがい機構を備え、内部の宝石等を交換可能とする開閉機構を有することを特徴とする宝飾品アクセサリー
【手続補正書】
【提出日】平成16年8月31日(2004.8.31)
【手続補正１】
【補正対象書類名】実用新案登録請求の範囲
【補正対象項目名】全文
【補正方法】変更
【補正の内容】
【実用新案登録請求の範囲】
【請求項１】
宝石等を内部に格納可能な容器において、該容器の一部にちょうつがい機構を備え、内部の宝石等を交換可能とすることを特徴とする宝飾品アクセサリー
(57)【要約】      （修正有）【課題】長期多様化する投薬日数管理、患者の次回来局予定日設定等を自動化処理する電卓を提供する。【解決手段】電子卓上計算器（電卓）用の二個の無刻印キーの中、一つに’ａｆｔｅｒ’の字を、残りに’ｂｅｆｏｒｅ’の字をそれぞれ刻印し、異なる字を刻印した二個のキーをワンセットとして組込まれた暦電卓を利用し、ａｆｔｅｒキーは設定日より指定日後を計算するようにプログラムし、テンキー、エンターキー、カーソルキー、クリアキー等はパソコンと同じであり、ｂｅｆｏｒｅキーは、験算に用いる。【選択図】図１
0003106648.tif 000002
【実用新案登録請求の範囲】
【請求項１】
設定された暦からある日数後の暦を瞬時に特定できる暦計算機能を備えた電子計算器
【考案の詳細な説明】
【技術分野】
【０００１】
本考案は、暦に関する計算を容易にする卓上電子計算器である。
【背景技術】
【０００２】
パソコンおよびデジタル・ムーバ等で予定表作成が実用化されているが、利用できない。
【考案の開示】
【考案が解決しようとする課題】
【０００３】
社会の高齢化に伴い、処方の固定化、投薬日数の長期化、すなわち処方箋発行に定期コース化の傾向がみられる。
【０００４】
ある患者の初回処方箋について、7日分、14日分等の投薬では、次回来局予定日をカレンダーで容易に調べることができるが、この投薬日数も60日分、90日分等と長期多様化し、次回来局予定日設定が煩わしい。この煩わしさを解決したい。
【課題を解決するための手段】
【０００５】
暦電子計算技術を応用する。
【考案の効果】
【０００６】
患者自らの体調にあった処方の安定化・固定化を求める患者心理は、報いられ尊重される。
【０００７】
医薬品が自己管理され、または介護者により管理されるならば、現行の遮光・防湿包装法を利用すれば約３ヶ月の長期投薬は可能である。
【０００８】
定期コース化により日数的余裕をもって処方用医薬品の準備が可能となり、在庫管理業務の効率化に役立つ。
【産業上の利用可能性】
【０００９】
現在の電子産業界で容易に製品化可能である。
【図面の簡単な説明】
【００１０】
図１および図2は暦電卓表面図の一例である。テンキー、エンターキー、カーソルキー、クリアキー等はパソコンと同じであり、beforeキーは、験算に用いられる。
【図１】２００４年５月６日木曜日から３０日後は２００４年６月４日金曜日であることを英数字で表示している。
【図２】２００４年１２月２１日火曜日から９０日後は２００５年３月２０日日曜日であることをカレンダーで表示している。
【図１】
0003106648.tif 000003
【図２】
0003106648.tif 000004
【手続補正書】
【提出日】平成16年7月21日(2004.7.21)
【手続補正１】
【補正対象書類名】実用新案登録請求の範囲
【補正対象項目名】全文
【補正方法】変更
【補正の内容】
【実用新案登録請求の範囲】
【請求項１】
電子卓上計算器（電卓）用の二個の無刻印キーの中、一つに‘after’の字を、残りに‘before’の字をそれぞれ刻印する。異なる字を刻印した二個のキーをワンセットとして組込まれた暦電卓。
【手続補正書】
【提出日】平成16年9月1日(2004.9.1)
【手続補正１】
【補正対象書類名】実用新案登録請求の範囲
【補正対象項目名】全文
【補正方法】変更
【補正の内容】
【実用新案登録請求の範囲】
【請求項１】
電子卓上計算器（電卓）用の二個の無刻印キーの中、一つに‘ａｆｔｅｒ’の字を、残りに‘ｂｅｆｏｒｅ’の字をそれぞれ刻印し、異なる字を刻印した二個のキーをワンセットとして組込まれた暦電卓。
(57)【要約】      （修正有）【課題】アルファベットの文字プレート２枚を組み合わせて簡単にイニシアルバッチをつくる。【解決手段】イニシァルの左右の２６文字のアルフアベットプレート（素材は金、銀、銅、ステンレス、フラスチック等）をそれぞれ用意し、それを１のプレートの３の刳り貫いた穴に、２のプレートの裏側の螺子支柱を挿入して、５のナットで絞めて固定して、イニシアルバッチを作るようにした。【選択図】図１
0003106644.tif 000002
【実用新案登録請求の範囲】
【請求項１】
第１図に示す通り、左側に位置する１のアルフアベット文字プレートの３の刳り貫いた穴に、右側に位置する２のアルフアベット文字プレートの裏側の４の螺子支柱を、１のプレートの３の刳り貫いた穴に挿入して組み合わせ、５のナツトで絞めて固定したイニシァルバッチ。
【考案の詳細な説明】
【考案の詳細な説明】
【０００１】［考案が解決しようとする課題］
従米、アルファベットで、総てのイニシアルに対応する場合、６７６通りのプレートを必要とするが、本実用新案は、１（図面左側に位置する文字プレート）と２（図面の右側に位置する文字プレート）の、それぞれ２６通りのアルフアベットの文字プレート、計５２通りを用意すれば、各人が必要とする当該左右の頭文字プレートを選んで組み合わせ、５のナットで絞めて固定する事で、至極簡単にイニシァルバッチヲ作る事ができる。
【０００２】［考案の考課］
本案のイニシァルバッチは、各個人が所有する、鞄や、ハンドバッグ、帽子、服、等に装着し、各人の所有物であることの表示とて、又アクセサリーとして、スポーツでは、ゴルフのマーカーとして利用する事が出来る。
【図面の簡単な説明】  ［図１］    本案の表面図と断面図である。
［図２］    本案の裏面図と断面図である。
［図３］    本案の左右のプレートの、個々の表面図と断面図である。
【符号の説明】
１．〜左側のプレートである。２．〜右側のプレートである。３．〜プレート１の刳り貫いた穴である。４．〜プレート２の裏側の螺子支柱である。５．〜ナットである。
【図１】
0003106644.tif 000003
【図２】
0003106644.tif 000004
【図３】
0003106644.tif 000005
【手続補正書】
【提出日】平成16年8月5日(2004.8.5)
【手続補正１】
【補正対象書類名】実用新案登録請求の範囲
【補正対象項目名】全文
【補正方法】変更
【補正の内容】
【実用新案登録請求の範囲】
【請求項１】
左側２６枚及び右側２６枚のプレートの各々にはアルファベットの１文字が表示され、上記左側２６枚及び右側２６枚のプレートのうちから、左右１枚ずつを組み合わせて構成されるイニシャルバッチであって、
上記左側プレート及び右側プレートの一部は相互に重ね合わされ、該重ね合わせの下側に位置する左側又は右側のプレートには貫通穴が、上側に位置する右側又は左側のプレートの裏面には螺子支柱が下側に向けて立設され、該螺子支柱が上記貫通穴に挿通されてナットによって締め付けられることにより、上記左側プレート及び右側プレートが相互に固定されていることを特徴とするイニシャルバッチ。
【手続補正２】
【補正対象書類名】明細書
【補正対象項目名】全文
【補正方法】変更
【補正の内容】
【考案の詳細な説明】
【技術分野】
【０００１】  本考案はイニシャルバッチに関する。
【背景技術】
【０００２】  従来、アルファベットで、総てのイニシャルに対応する場合、６７６通りのプレートを必要としていた。
【考案の開示】
【考案が解決しようとする課題】
【０００３】  本考案は５２通りという数少ないプレートで簡単に作ることができるようにしたイニシャルバッチを提供することを課題とする。
【課題を解決するための手段】
【０００４】  本考案に係るイニシャルバッチは、左側２６枚及び右側２６枚のプレートの各々にはアルファベットの１文字が表示され、上記左側２６枚及び右側２６枚のプレートのうちから、左右１枚ずつを組み合わせて構成されるイニシャルバッチであって、上記左側プレート及び右側プレートの一部は相互に重ね合わされ、該重ね合わせの下側に位置する左側又は右側のプレートには貫通穴が、上側に位置する右側又は左側のプレートの裏面には螺子支柱が下側に向けて立設され、該螺子支柱が上記貫通穴に挿通されてナットによって締め付けられることにより、上記左側プレート及び右側プレートが相互に固定されていることを特徴とする。
【考案の効果】
【０００５】  本考案のイニシャルバッチは、各個人が所有する、鞄や、ハンドバッグ、帽子、服、等に装着し、各人の所有物であることの表示として、又アクセサリ−として、スポ−ツでは、ゴルフのマ−カ−として利用する事が出来る。
【考案を実施するための最良の形態】
【０００６】  図１ないし図３は本考案に係るイニシャルバッチの好ましい実施形態を示す。図において、イニシャルバッチは左側２６枚及び右側２６枚のプレート１、２のうちから、左右１枚ずつを組み合わせて構成され、左側２６枚及び右側２６枚のプレートの各々にはアルファベットの１文字が表示されている。【０００７】  左側プレート１及び右側プレート２の側方部分（一部）は相互に重ね合わされ、該重ね合わせの下側に位置する左側プレート１の部分には貫通穴３が、上側に位置する右側プレート２の部分の裏面には螺子支柱４が下側に向けて立設されている。この螺子支柱４は貫通穴３に挿通されてナット５によって締め付けられており、これによって左側プレート１及び右側プレート２は相互に固定されている。【０００８】  本例のイニシャルバッチでは図面左側に位置する文字プレ−ト（左側プレート）１と図面の右側に位置する文字プレ−ト（右側プレート）２の、それぞれの２６通りのアルファベットの文字プレ−ト、計５２通りを用意すれば、各人が必要とする当該左右の頭文字プレ−トを選んで組合せ、５のナットで絞めて固定する事で、至極簡単にイニシャルバッチを作る事が出来る。
【図面の簡単な説明】
【０００９】
【図１】  本考案に係るイニシャルバッチの好ましい実施形態の表面及び断面を示す図である。
【図２】  上記実施形態の裏面及び断面を示す図である。
【図３】  上記実施形態における左側プレ−ト及び右側プレートの表面及び断面を示す図である。
【符号の説明】
【００１０】１    左側プレ−ト
２    右側のプレ−ト
３    左側プレ−ト１の貫通穴
４    螺子支柱
５    ナット
(57)【要約】【課題】  この考案は、分岐したコードにより複数の人が同時に音を聴ける、ヘッドホンに関するものである。【解決手段】  ヘッドホンのコードについて、外側の被覆及び内側の金属線を分岐部でヘッドセットの数だけ同等に分岐させるか、若しくは、分岐部でジャック等により部分コードを相互に接続可能とした上で、全体を構成する。【選択図】  図１
0003106627.tif 000002
【実用新案登録請求の範囲】
【請求項１】
コード（３）を分岐部（４）で分岐させることにより、複数のヘッドセット（５）を通して同時に複数の人が、音響機器（１）から出力される音を聴けるように構成されたヘッドホン。
【請求項２】
コードを分岐部（４）で相互に取り外すことが不可能で、そのことにより固定数のヘッドセット（５）を含む、請求項１のヘッドホン。
【請求項３】
コードを分岐部（４）で相互に取り外すことが可能で、そのことにより可変数のヘッドセット（５）を含む、請求項１のヘッドホン。
【考案の詳細な説明】
【考案の詳細な説明】
【技術分野】
【０００１】  この考案は、分岐したコードにより複数の人が同時に音を聴ける、ヘッドホンに関するものである。
【背景技術】
【０００２】  従来のヘッドホンは、ヘッドセットがただ１つであったので、複数の人が同時に音を聴くことを望んだり、又は聴く必要があっても、それができなかった。（この出願を通して、「ヘッドセット」は１人の人の頭と耳に装着する部分、「ヘッドホン」はジャックからヘッドセット（図面ではそれぞれ（２），（５））までの部分を指すものとする。）
【考案が解決しようとする課題】
【０００３】  本案は、その欠点を除いて、従複数の人が同時に音を聴けるようなヘッドホンを開発しようとするものである。
【課題を解決しようとするための手段】
【０００４】    いまその解決手段を図面に追いながら説明する。
（イ）ジャック（２）から分岐部（４）までは従来のヘッドホンと同じであるが、
（ロ）コード（３）外側の被覆も内側の金属線も、分岐部（４）で、分岐の数（図面では２）だけ、各分岐部分（４から５の手前までの部分）に対して等しく分岐させる。（ただし、請求項３の場合は、コード（３）の分岐部分が、分岐部（４）に対して、ジャック等で接続されるものとする。）すなわち、
（ハ）コード（３）中、音響機器（１）から見た、分岐部（４）の手前の部分（図面では１本）も向こう側の部分（図面では２本）も、その断面は同じとなる。ここで、
（ニ）当該ヘッドホンに係る電気回路が、各ヘッドセット（５）に関する並列回路になることにより、低下する可能性のある電圧等を補強する必要が生じる可能性があるが、
（ホ）そのために必要な電気回路上の考慮と補正は、原則として音響機器（１）又は分岐部（４）に対して払い、行うこととし、
（ヘ）そのための技術的な方法は、別途考えるものとするが、
（ト）本考案では、この必要を十分に満たす方法であれば足りるものとする。
【考案を実施するための最良の形態】
【０００５】    次のような実施の形態が考えられる。これらはほんの一例である。
（イ）連れ立った２人の人が、歩行中や交通機関内で、携帯型ディスクプレーヤー等で、同時に同じ音楽を聴きたいが周囲に当該音を発散したくない、というような場合に利用できる。
（ロ）電子式ピアノの教習において、教師の横で生徒がヘッドホンを着けて演奏練習をしている時（であるから第３者には当該音は聴こえない）、教師が同時に同じ演奏音を聴きたい、というような場合に利用できる。
（ハ）同一の室内にいる家族のうちの何人かはテレビを見たいが、他の何人かは家庭用ラジオカセット装置でラジオ放送等を聴きたい、しかしお互いに迷惑をかけ合いたくない、というような場合に利用できる。
【考案の効果】
【０００６】  したがって、互いに他を煩わすことなく、希望する音源からの音を自在に聴くことができ、音響機器の効用が増大することになる。
【図面の簡単な説明】
【図１】    本考案の斜視図
【符号の説明】
１は音響機器
２はジャック
３はコード
４は分岐部
５はヘッドセット
【図１】
0003106627.tif 000003